(57)【要約】ユーザによって設定される投写サイズを表すパラメータに基づいて、画像表示デバイスの画像表示領域のうち、画像表示領域の中央部に入力画像信号で表される画像を形成するための画像領域と、画像領域の外周部に黒色画像を形成するためのマスク表示領域とを調整可能に設定し、入力画像信号から表示画像信号を生成する際に、入力画像信号で表される画像のサイズが画像領域に適合するように入力画像信号を縮小または拡大するとともに、マスク表示領域に黒色画像が表示されるように表示画像信号を生成する。かかる構成によって、投写サイズを表すパラメータに基づいて調整可能に設定される画像領域およびマスク表示領域の大きさに応じて投写サイズを調整することができる。これにより、プロジェクタによる画像の投写サイズを容易に調整可能とすることができる。
2002052844.tif 000002
【特許請求の範囲】
【請求項１】
画像の投写サイズを電子的に調整可能なプロジェクタであって、
供給される表示画像信号に応じた画像を形成するための画像表示デバイスと、
画像供給装置から供給される入力画像信号から前記画像表示デバイスに供給可能な前記表示画像信号を生成する画像信号処理部と、
前記画像表示デバイスによって形成される画像を投写する投写部と、を備え、
前記画像処理部は、
ユーザによって設定される投写サイズを表すパラメータに基づいて、前記画像表示デバイスの画像表示領域のうち、前記画像表示領域の中央部に前記入力画像信号で表される画像を形成するための画像領域と、前記画像領域の外周部に特定色の画像を形成するためのマスク表示領域とを調整可能に設定し、前記入力画像信号から前記表示画像信号を生成する際に、前記入力画像信号で表される画像のサイズが前記画像領域のサイズに適合するように前記入力画像信号で表される画像を縮小または拡大するとともに、前記マスク表示領域に前記特定色の画像が表示されるように、前記表示画像信号を生成することを特徴とするプロジェクタ。
【請求項２】
請求の範囲第１項に記載のプロジェクタであって、
前記画像処理部は、前記入力画像信号で表される画像のサイズが前記画像表示領域のサイズと異なる場合に、前記入力画像信号で表される画像のサイズが前記画像表示領域のサイズに適合するように前記入力画像信号で表される画像を拡大または縮小して得られる解像度変換画像信号を生成し、さらに、前記解像度変換画像信号で表される画像のサイズが前記画像領域のサイズに適合するように前記解像度変換画像信号で表される画像を縮小する、プロジェクタ。
【請求項３】
請求の範囲第１項に記載のプロジェクタであって、
前記画像処理部は、前記パラメータに基づいて設定される前記画像領域のサイズが前記画像表示領域よりも大きくなるときには、前記画像表示領域には、前記画像領域のサイズに適合するように拡大された画像のうち、前記画像表示領域のサイズに対応する部分画像が表示されるように、前記表示画像信号を生成する、プロジェクタ。
【請求項４】
請求の範囲第１項ないし第３項のうちの任意の１つに記載のプロジェクタであって、
前記特定色の画像は、黒色画像であることを特徴とするプロジェクタ。
【請求項５】
プロジェクタによる画像の投写サイズを電子的に調整する調整方法であって、
ユーザによって設定される投写サイズを表すパラメータに基づいて、前記プロジェクタに備えられる画像表示デバイスの画像表示領域のうち、前記画像表示領域の中央部に前記入力画像信号で表される画像を形成するための画像領域と、前記画像領域の外周部に特定色の画像を形成するためのマスク表示領域とを調整可能に設定し、前記入力画像信号から前記表示画像信号を生成する際に、前記入力画像信号で表される画像のサイズが前記画像領域のサイズに適合するように前記入力画像信号で表される画像を縮小または拡大するとともに、前記マスク表示領域に前記特定色の画像が表示されるように、前記表示画像信号を生成することを特徴とする調整方法。
【発明の詳細な説明】
技術分野
この発明は、画像を投写するプロジェクタにおいて、特に画像の投写サイズを電子的に調整可能とする技術に関する。
背景技術
画像を投写するプロジェクタは、入力画像信号の表す画像をスクリーン上に拡大して表示できることから、プレゼンテーション等に用いられることが多い。プロジェクタは、一般に、液晶パネルのような画像表示デバイスによって形成される画像を、投写レンズを介してスクリーン上に投写する構成を有している。
従来のプロジェクタでは、投写レンズのズーム比がほぼ固定されているため、スクリーン上の投写サイズをほとんど調整することができない。このため、投写サイズを調整したい場合には、プロジェクタの位置を移動させて、スクリーンとの間隔を調整する必要があった。
また、ズーム比が調整可能な投写レンズを用いれば、投写サイズを光学的に調整することが可能となるが、このような投写レンズは大型でコストも高くなる。
発明の開示
この発明は、従来技術における上述の課題を解決するためになされたものであり、プロジェクタによる画像の投写サイズを容易に調整可能な技術を提供することを目的とする。
上記目的を達成するために、本発明によるプロジェクタは、
供給される表示画像信号に応じた画像を形成するための画像表示デバイスと、
画像供給装置から供給される入力画像信号から前記画像表示デバイスに供給可能な前記表示画像信号を生成する画像信号処理部と、
前記画像表示デバイスによって形成される画像を投写する投写部と、を備え、
前記画像処理部は、
ユーザによって設定される投写サイズを表すパラメータに基づいて、前記画像表示デバイスの画像表示領域のうち、前記画像表示領域の中央部に前記入力画像信号で表される画像を形成するための画像領域と、前記画像領域の外周部に特定色の画像を形成するためのマスク表示領域とを調整可能に設定し、前記入力画像信号から前記表示画像信号を生成する際に、前記入力画像信号で表される画像のサイズが前記画像領域のサイズに適合するように前記入力画像信号で表される画像を縮小または拡大するとともに、前記マスク表示領域に前記特定色の画像が表示されるように、前記表示画像信号を生成することを特徴とする。
本発明のプロジェクタは、投写サイズを表すパラメータに基づいて調整可能に設定される画像領域およびマスク表示領域の大きさに応じて投写サイズを調整することができる。これにより、プロジェクタによる画像の投写サイズを容易に調整可能とすることができる。
ここで、前記画像処理部は、前記入力画像信号で表される画像のサイズが前記画像表示領域のサイズと異なる場合に、前記入力画像信号で表される画像のサイズが前記画像表示領域のサイズに適合するように前記入力画像信号で表される画像を拡大または縮小して得られる解像度変換画像信号を生成し、さらに、前記解像度変換画像信号で表される画像のサイズが前記画像領域のサイズに適合するように前記解像度変換画像信号で表される画像を縮小するようにしてもよい。
こうすれば、入力画像信号で表される画像のサイズが異なっても、投写サイズを表すパラメータの値が同じであれば、ほぼ同じ投写サイズとすることができる。すなわち、入力画像信号で表される画像のサイズに依存せずに、投写サイズの調整が可能である。
また、前記画像処理部は、前記パラメータに基づいて設定される前記画像領域のサイズが前記画像表示領域よりも大きくなるときには、前記画像表示領域には、前記画像領域のサイズに適合するように拡大された画像のうち、前記画像表示領域のサイズに対応する部分画像が表示されるように、前記表示画像信号を生成するようにしてもよい。
こうすれば、投写サイズの縮小だけでなく、拡大を実行することも可能である。
本発明による方法は、プロジェクタによる画像の投写サイズを電子的に調整する調整方法であって、
ユーザによって設定される投写サイズを表すパラメータに基づいて、前記プロジェクタに備えられる画像表示デバイスの画像表示領域のうち、前記画像表示領域の中央部に前記入力画像信号で表される画像を形成するための画像領域と、前記画像領域の外周部に特定色の画像を形成するためのマスク表示領域とを調整可能に設定し、前記入力画像信号から前記表示画像信号を生成する際に、前記入力画像信号で表される画像のサイズが前記画像領域のサイズに適合するように前記入力画像信号で表される画像を縮小または拡大するとともに、前記マスク表示領域に前記特定色の画像が表示されるように前記表示画像信号を生成することを特徴とする。
本発明の方法によれは、上記プロジェクタと同様に、プロジェクタによる画像の投写サイズを容易に調整可能とすることができる。
なお、本発明は、種々の形態で実現することが可能であり、例えば、プロジェクタ、その調整方法、投写サイズの調整装置および調整方法等の形態で実現することができる。
発明の実施するための最良の形態
次に、本発明の実施の形態を実施例に基づいて以下の順序で説明する。
Ａ．装置の全体構成：
Ｂ．解像度変換：
Ｃ．投写サイズ調整：
Ｄ．変形例：
Ａ．装置の全体構成：
図１は、本発明のプロジェクタを用いた投写表示システムを示す説明図である。本発明のプロジェクタＰＪは、図示しない画像供給装置から供給された画像信号の表す画像を、スクリーンＳＣＲ上に投写する。プロジェクタＰＪの上部には投写サイズを調整するためのスイッチＳＷ１が設けられている。このスイッチＳＷ１としては、シーソー式スイッチや、＋と−の２つのボタンを有するスイッチ等の種々のスイッチが利用可能である。ここでは、シーソー式スイッチが用いられている。ユーザは、このスイッチＳＷ１を拡大（ワイド）側または縮小（テレ）側に押し傾けることにより、スクリーンＳＣＲ上に投写される画像の投写サイズを調整することができる。また、ユーザは、プロジェクタＰＪに付属のリモートコントローラ（リモコン）ＲＣに設けられたスイッチＳＷ２によっても画像の投写サイズを調整することができる。なお、スイッチＳＷ２もスイッチＳＷ１と同様のスイッチが利用できる。
図２は、プロジェクタＰＪの全体構成を示すブロック図である。このプロジェクタＰＪは、画像入力端子２０，２２と、画像信号変換回路３０と、解像度変換回路４０と、投写サイズ調整回路５０と、液晶パネル駆動回路６０と、液晶パネル７０と、照明装置８０と、投写光学系９０と、コントローラ１００と、投写サイズ調整信号生成回路１１０と、リモコン制御回路１２０とを備えている。コントローラ１００は、図示しないＣＰＵおよびメモリを有するマイクロコンピュータであり、バス１００ｂを介して各ブロック３０〜９０，１１０，１２０の動作を制御する。例えば、コントローラ１００は、図示しないメモリに格納されているプログラムを実行することにより、後述する解像度変換制御部１０２や投写サイズ制御部１０４として動作する。
アナログ画像入力端子２０は、複数種類の画像信号に対応する入力端子を有している。アナログ画像信号としては、例えば、パーソナルコンピュータから出力されたＲＧＢ信号や、ビデオテープレコーダから出力されたコンポジット画像信号等が入力される。
画像信号変換回路３０は、アナログ−ディジタル変換機能やデコード機能、同期信号分離機能、画像処理機能といった種々の機能を実現する。すなわち、画像信号変換回路３０は、画像入力端子２０から入力されたアナログ画像信号をディジタル画像データに変換し、変換されたディジタル画像データを同期信号に同期して画像信号変換回路３０内の図示しないフレームメモリに書き込み、あるいは、このフレームメモリに書き込まれたディジタル画像データを読み出す。そして、この書き込みと読み出しの処理の過程において、種々の画像処理を実行する。
また、画像信号変換回路３０は、デジタル画像入力端子２２から入力されたディジタル画像データも処理することができる。かかる場合には、ディジタル画像信号とは別に同期信号が供給されるので、アナログ−ディジタル変換処理および分離処理は不要である。
なお、画像信号変換回路３０は、図示しない選択回路を備えており、画像入力端子２０，２２から入力される複数の画像信号の中の１つを選択する。画像信号の選択は、ユーザがリモコンＲＣから希望する画像の選択を指示することにより行われる。あるいは、プロジェクタの上部に備えられた図示しないパネルスイッチにより指示することが可能である。
解像度変換回路４０は、入力される画像信号の表す画像の解像度（画素数）を液晶パネル６０に入力可能な解像度（画素数）に変換する。投写サイズ調整回路５０は、解像度変換回路４０から供給される画像データの表す画像の解像度を変換することにより、投写サイズを調整する。なお、解像度変換回路４０および投写サイズ調整回路５０の処理内容については、さらに、後述する。
解像度変換制御部１０２は、解像度変換回路４０の動作を制御する。また、投写サイズ制御部１０４は、投写サイズ調整信号生成回路１１０から供給されるサイズ調整信号に基づいて、投写サイズ調整回路５０の動作を制御する。
投写サイズ調整信号生成回路１１０は、ユーザがスイッチＳＷ１を押して投写サイズの調整を実行すると、これに応じたサイズ調整信号ＳＡＳを生成して投写サイズ制御部１０４に供給する。また、ユーザがリモコンＲＣのスイッチＳＷ２を押して投写サイズの調整を指示した場合にも、リモコン制御回路１２０を介して投写サイズ調整信号生成回路１１０の動作が指示されて、同様にサイズ調整信号ＳＡＳが生成される。
画像入力端子２０，２２から入力された画像信号は、画像信号変換回路３０と解像度変換回路４０と投写サイズ調整回路５０とにおいて種々の画像処理が実行された後、液晶パネル駆動回路６０に入力される。液晶パネル駆動回路６０は、与えられた画像データに応じて、液晶パネル７０を駆動するための駆動信号を生成する。液晶パネル７０は、照明装置８０から射出された照明光を、液晶パネル駆動回路６０から出力された駆動信号に応じて変調することにより画像を形成するライトバルブ（光変調器）として機能する。なお、照明装置８０の照明光の強度は、コントローラ１００によって制御可能である。
液晶パネル７０において変調された照明光は、画像を表す光（画像光）として、投写光学系９０によってスクリーンＳＣＲに向けて射出される。これにより、スクリーンＳＣＲ上に画像が投写される。なお、投写光学系９０の投写倍率は、コントローラ１００によって制御可能である。
なお、液晶パネル駆動回路６０と、液晶パネル７０とが、本発明の画像表示デバイスに相当する。また、画像信号変換回路３０と、解像度変換回路４０と、投写サイズ調整回路５０と、コントローラ１００とが、本発明の画像信号処理部に相当する。なお、液晶パネル駆動回路６０は、画像表示デバイスではなく画像信号処理部に含まれると考えることも可能である。
なお、図示は省略しているが、液晶パネル７０は、ＲＧＢの３色に対応する３枚の液晶パネルを含んでいる。このため、画像信号変換回路３０と、解像度変換回路４０と、投写サイズ調整回路５０と、液晶パネル駆動回路６０の各回路は、ＲＧＢの３色分の画像信号を処理する機能を有している。また、照明装置８０は、光源光を３色の光に分離する色光分離光学系を有しており、また、投写光学系９０は、３色の画像光を合成してカラー画像を表す画像光を生成する合成光学系と投写レンズを有している。なお、このようなプロジェクタの光学系の構成については、種々の一般的なプロジェクタの光学系の構成が利用可能である。
なお、ユーザは、リモコンＲＣを用いて、種々の入力を行うことができる。リモコンＲＣから出力された信号は、リモコン制御回路１２０を介してコントローラ１００や投写サイズ調整信号生成回路１１０に入力されて対応する種々の処理が実行される。
Ｂ．解像度変換：
図３は、解像度変換回路４０で実行される解像度変換について示す説明図である。入力される画像信号の表す画像の解像度は、画像供給装置の種類に応じて異なっている。例えば、コンピュータから供給される画像信号の表す画像の画素数は、ＶＧＡでは６４０×４８０画素であり、ＳＶＧＡでは８００×６００画素、ＸＧＡでは１０２４×７６８画素、ＳＸＧＡでは１２８０×１０２４である。また、ビデオレコーダから供給される映像信号や、ＤＶＤ（ディジタルビデオディスク）プレイヤから供給される映像信号もそれぞれ異なる解像度を有している。さらに、一般的なテレビジョン信号とハイビジョンのテレビジョン信号も解像度が異なる。一方、プロジェクタに用いられる画像表示デバイスとしての液晶パネル７０の画素数は一定である。このため、入力される画像信号の表す画像の画素数が液晶パネル７０の画素数と異なる場合には、その画像をそのまま表示することができない。そこで、解像度変換回路４０は、入力画像信号の表す画像の画素数が液晶パネル７０の表示領域の画素数と異なる場合に、入力画像信号の表す画像を拡大または縮小することにより、液晶パネル７０の表示領域に等しい画素数の画像を表す画像信号を生成する。
例えば、図３（Ａ）に示すように、液晶パネル７０の水平画素数Ｐｘが１０２４画素で垂直画素数Ｐｙが７６８画素であり、入力画像信号の表す画像の水平画素数ＯＰｘが６４０で垂直画素数ＯＰｙが４８０である場合を想定する。この場合、水平方向の倍率ｋｓｈ（＝Ｐｘ／ＯＰｘ）および垂直方向の倍率ｋｓｖ（＝Ｐｙ／ＯＰｙ）は１．６となる。水平方向の倍率ｋｓｈおよび垂直方向の倍率ｋｓｖがともに１．６であるので、解像度変換倍率ｋｓは１．６に設定される。このとき、解像度変換回路４０は、入力画像信号の表す画像を、設定された解像度変換倍率ｋｓで拡大することにより、液晶パネル７０の画像表示領域のサイズ（Ｐｘ×Ｐｙ）と等しいサイズの画像を表す画像信号を生成する。
また、図３（Ｂ）に示すように、液晶パネル７０の水平画素数Ｐｘが１０２４画素で垂直画素数Ｐｙが７６８画素であり、入力画像信号の表す画像の水平画素数ＯＰｘが１２８０で垂直画素数ＯＰｙが１０２４である場合を想定する。この場合、入力画像信号の表す画像のアスペクト比（水平画素数ＯＰｘと垂直画素数ＯＰｙの比）と液晶パネル７０の画像表示領域のアスペクト比（水平画素数Ｐｘと垂直画素数Ｐｙの比）とが異なり、水平方向の倍率ｋｓが０．８で垂直方向の倍率ｋｓｖが０．７５となる。かかる場合には、値がより小さな垂直方向の倍率ｋｓｖが解像度変換倍率ｋｓとして採用される。解像度変換回路４０は、入力画像信号の表す画像を、設定された解像度変換倍率ｋｓで縮小することにより、液晶パネル７０の表示領域のサイズ（Ｐｘ×Ｐｙ）にほぼ等しいサイズの画像を表す画像信号を生成する。ただし、縮小された画像の水平画素数ＣＯＰｘは、液晶パネル７０の水平画素数Ｐｘの値１２８０画素よりも６４画素だけ小さい９６０画素となる。このような場合には、各水平ラインの左右両端部に、それぞれ均等に３２画素の黒色画像データが補完される。
なお、画像の縮小は、複数画素内の１画素で縮小画像の対応する１画素を代表させる単純サンプリング処理や、平滑化処理と単純サンプリング処理とを組み合わせた処理、あるいは、複数画素の画像の濃度の平均値を縮小画像の対応する１画素の濃度値とする平均化処理等の種々の縮小処理により容易に実現可能である。また、画像の拡大は、線形補間や過重平均補間等の種々の補間処理により容易に実現可能である。
なお、入力画像信号の表す画像の解像度は、解像度変換制御部１０２が入力端子２０のどの入力端子に入力された画像信号であるかを調べることにより、また、同期信号の種類、例えば、信号極性、信号周波数等を調べることにより容易に判別することが可能である。解像度変換制御部１０２は判別した解像度に応じた変換倍率を求めて解像度変換回路４０に設定し、解像度変換を実行させることができる。
Ｃ．投写サイズ調整：
図４は、投写サイズ調整回路５０で実行される投写サイズの調整について示す説明図である。図４（Ａ）は、スクリーンＳＣＲ上の投写画像を示している。破線で示す矩形は、投写サイズが最も大きくなるように設定した場合に表示される最大投写画像ＰＰ［ｋｚ＝１］のサイズを示している。実線で示す矩形は、最大投写画像ＰＰ［ｋｚ＝１］に対して縮小された縮小投写画像ＰＰ［ｋｚ＝ｎ］のサイズを示している。なお、最大投写画像ＰＰ［ｋｚ＝１］の投写係数ｋｚは１であり、縮小投写画像ＰＰ［ｋｚ＝ｎ］の投写係数ｋｚはｎ（０＜ｎ＜１）である。ここで、投写係数ｋｚは、最大投写画像ＰＰ［ｋｚ＝１］のサイズに対する投写画像のサイズの比、すなわち、投写倍率（面積比）を示している。
投写係数ｋｚは、ユーザがプロジェクタＰＪのスイッチＳＷ１（図１）またはリモコンＲＣのスイッチＳＷ２（図１）を押すことにより設定される。例えば、投写係数ｋｚは、１〜０．８４まで０．０５ステップで連続的に設定可能である。投写係数ｋｚの設定値は、投写サイズ調整信号生成回路１１０からサイズ調整信号ＳＡＳとして投写サイズ制御部１０４に供給される。投写サイズ制御部１０４は、投写係数ｋｚに基づいて、投写サイズ調整回路５０の動作を制御する。
まず、最大投写画像ＰＰ［ｋｚ＝１］が表示される場合について説明する。この場合、投写サイズ調整回路５０は、解像度変換回路４０から供給される画像データをそのまま出力する。これにより、液晶パネル７０の画像表示領域全体が、入力画像信号に対応する画像データによって駆動されて画像が表示される。
次に、縮小投写画像ＰＰ［ｋｚ＝ｎ］が表示される場合について説明する。図４（Ｂ）は、縮小投写画像ＰＰ［ｋｚ＝ｎ］を表示する場合に、液晶パネル７０の画像表示領域ＭＤＡに供給される画像データについて示している。この場合、投写サイズ制御部１０４は、図４（Ｂ）に示すように、投写係数ｋｚに基づいて、液晶パネル７０の画像表示領域ＭＤＡのうち、画像を表示するための画像領域ＺＰと、画像領域ＺＰの外周にあるマスク表示領域ＢＰとを決定する。具体的には、これらの領域ＺＰ，ＢＰは以下に示すように決定される。
まず、投写係数ｋｚ＝ｎから水平方向の縮小係数ｋｚｈおよび垂直方向の縮小係数ｋｚｖを求める。具体的には、縮小係数ｋｚｈおよび垂直方向の縮小係数ｋｚｖは、投写係数ｋｚの平方根（√ｎ）に設定される。
次に、求められた縮小係数ｋｚｈ，ｋｚｖを、液晶パネルの水平画素数Ｐｘおよび垂直画素数Ｐｙに乗ずることによって、画像領域ＺＰの水平画素数Ｐｚｘ（＝ｋｚｈ・Ｐｘ）および垂直画素数Ｐｚｙ（＝ｋｚｖ・Ｐｙ）を求める。
また、マスク表示領域ＢＰについて、画像表示領域ＭＤＡの左端および右端からの水平画素数Ｐｂｘ（＝Ｐｘ・（１−ｋｚｈ）／２）および画像表示領域ＭＤＡの上端および下端からの垂直画素数Ｐｂｙ（＝Ｐｙ・（１−ｋｚｖ）／２）を求める。ここでは、マスク表示領域ＢＰの上下と左右の幅がそれぞれ均等に設定されている。
こうして求められた画像領域ＺＰおよびマスク表示領域ＢＰの水平方向と垂直方向の画素数は、投写サイズ調整回路５０に設定される。投写サイズ調整回路５０は、マスク表示領域ＢＰに相当する液晶パネル７０の各画素に対して黒色の画像データを出力する。また、画像領域ＺＰに相当する液晶パネル７０の各画素に対しては、解像度変換回路４０から供給される画像データの表す画像を、縮小係数ｋｚｈ，ｋｚｖに基づいて縮小して出力する。
液晶パネル７０は、以上のようにして投写サイズ調整回路５０から出力されたマスク表示領域ＢＰおよび画像領域ＺＰに対応する画像データによって駆動されて画像が表示される。
こうして投写された画像のうち、マスク表示領域ＢＰに対応する画像は黒色画像であり、実際に表示されるのは画像領域ＺＰに対応する画像のみである。この画像領域ＺＰに対応する画像は、上述したように縮小係数ｋｚｈ，ｋｚｖ、すなわち投写係数ｋｚに応じて縮小された画像である。従って、実際に表示される画像の解像度は投写係数ｋｚに応じて劣化するものの、投写係数ｋｚに応じて画像の投写サイズを変化させることができる。
なお、画像領域ＺＰに対応するように実行される縮小係数ｋｚｈ，ｋｚｖに応じた画像の縮小処理は、解像度変換回路４０における縮小処理と同じものを利用可能である。
以上説明したように、本実施例のプロジェクタＰＪにおいては、液晶パネル７０の画像表示領域ＭＤＡのうち、入力画像データの表す画像を形成するための画像領域ＺＰと、その外周に設定され黒色画像を形成するためのマスク表示領域ＢＰとを、投写サイズに応じて設定される投写係数ｋｚに基づいて調整することにより、投写サイズを容易に調整することが可能である。
Ｄ．変形例：
なお、この発明は上記の実施例や実施形態に限られるものではなく、その要旨を逸脱しない範囲において種々の態様において実施することが可能であり、例えば次のような変形も可能である。
（１）図５は、プロジェクタＰＪの変形例の全体構成を示すブロック図である。この変形例のプロジェクタＰＪａは、図２の解像度変換回路４０と投写サイズ調整回路５０とを、これら２つの機能を有する解像度変換／投写サイズ調整回路４０Ａに置き換えた構成を有している。この解像度変換／投写サイズ調整回路４０Ａは、解像度変換回路４０における解像度変換倍率ｋｓと投写サイズ調整回路５０における縮小係数ｋｚｈ，ｋｚｖとを乗算した係数（ｋｓ・ｋｚｈ），（ｋｓ・ｋｚｖ）を用いて、入力画像信号の表す画像を一度に拡大または縮小して、画像領域ＺＰに対応する画像の画像データを求めている。
この変形例のプロジェクタＰＪａも上記実施例のプロジェクタＰＪと同様に、液晶パネル７０の画像表示領域ＭＤＡのうち、入力画像データの表す画像を形成するための画像領域ＺＰと、その外周に設定され黒色画像を形成するためのマスク表示領域ＢＰを、投写係数ｋｚに基づいて調整することにより、投写サイズを容易に調整することが可能である。
（２）上記実施例および変形例では、入力画像信号が液晶パネル７０の画像表示領域の解像度と異なる解像度を有する画像を表す場合、入力画像信号の表す画像を、解像度変換倍率ｋｓに基づいて拡大または縮小している。そして、解像度変換画像が投写係数ｋｚに基づいて設定された画像領域のサイズに適合するように解像度変換画像信号の表す画像を縮小することにより、投写サイズの調整を行っている。しかしながら、解像度変換倍率ｋｓを１として、すなわち、解像度変換を行わずに投写係数ｋｚに基づいて投写サイズの拡大または縮小を行うことも可能である。この場合、入力画像データの表す画像は、投写係数ｋｚにより求められる水平方向の投写係数ｋｚｈおよび垂直方向の投写係数ｋｚｖで拡大または縮小されて、画像領域ＺＰに適合する画像データに調整される。なお、解像度変換を行うか否かの選択はユーザによって設定可能である。
（３）図６は、投写サイズに対応する投写係数ｋｚに基づいて設定される画像領域ＺＰが液晶パネル７０の画像表示領域ＭＤＡよりも大きくなるときに、表示される画像について示す説明図である。図６（Ａ）に示すように、液晶パネル７０の画像表示領域ＭＤＡよりも大きな画像領域ＺＰが設定された場合には、投写サイズ調整回路５０は、画像領域ＺＰのサイズに適合するように拡大された画像のうち、画像表示領域ＭＤＡのサイズに対応する部分画像が、画像表示領域ＭＤＡに表示されるように表示画像データを生成する。こうすれば、画像表示領域ＭＤＡに設定された画像のみが図６（Ｂ）に示すように拡大表示される。
この構成によれば、ユーザによって設定された投写サイズが比較的小さく、画像領域ＺＰが液晶パネル７０の画像表示領域ＭＤＡよりも小さいときには、上記実施例で説明したように画像全体を縮小したり拡大したりすることができる。一方、投写サイズが比較的大きく、画像領域ＺＰが画像表示領域ＭＤＡよりも大きいときには、画像の一部のみを拡大して表示することができる。従って、液晶パネル７０の大きさに関わらず、所望の投写サイズに応じて拡大または縮小された画像の一部または全部を投写表示することが可能である。
（４）上記実施例および変形例では、マスク表示領域ＢＰに対応する画像は黒色画像であったが、本発明はこれに限定されるものではなく、黒色以外の特定の色であっても良い。例えば、白色画像や、スクリーンＳＣＲと同じ色の画像であっても良い。
産業上の利用可能性
以上のように、本発明にかかるプロジェクタは、プレゼンテーションなどにおいて、画像を表示したり、航空機内や公衆の集まる場所などにおいて、映画や案内などを表示したりするのに有用である。
【図面の簡単な説明】
図１は、本発明のプロジェクタを用いた投写表示システムを示す説明図である。
図２は、プロジェクタＰＪの全体構成を示すブロック図である。
図３は、解像度変換回路４０で実行される解像度変換について示す説明図である。
図４は、投写サイズ調整回路５０で実行される投写サイズの調整について示す説明図である。
図５は、プロジェクタＰＪの変形例の全体構成を示すブロック図である。
図６は、投写サイズに対応する投写係数ｋｚに基づいて設定される画像領域ＺＰが液晶パネル７０の表示領域ＭＤＡよりも大きくなるときに、表示される画像について示す説明図である。
【図１】
2002052844.tif 000003
【図２】
2002052844.tif 000004
【図３】
2002052844.tif 000005
【図４】
2002052844.tif 000006
【図５】
2002052844.tif 000007
【図６】
2002052844.tif 000008
【国際調査報告】
2002052844.tif 000009
2002052844.tif 000010